(57)【特許請求の範囲】
【請求項１】
異なる解像度で画像再生する複数の画像再生手段と、
画像ファイルを再生する前記複数の画像再生手段の一つを画像ファイルごとに指定する管理情報記録手段と、
再生する画像ファイルを指示する指示手段と、
前記指示手段によって指示された画像ファイルの管理情報に指定された画像再生手段の解像度に応じて、前記画像ファイル内の画像データから再生データを生成すると共に、該画像再生手段に対して前記再生データの再生指令を行う制御手段と、
を備えることを特徴とする電子機器。
【請求項２】
請求項１に記載の電子機器において、
前記制御手段は、操作部材からの操作信号、ケーブル接続検知信号、および操作メニューによる指示のいずれかに応じて、前記画像再生の指示および前記再生データ生成手段の制御を行うことを特徴とする電子機器。
【請求項３】
請求項１に記載の電子機器において、
前記再生データの管理情報は、画像データを格納するファイルと別のファイルに設けられ、画像データを格納するファイルごとに画像再生する画像再生手段が示されていることを特徴とする電子機器。
【請求項４】
請求項１に記載の電子機器において、
前記再生データの管理情報は、画像データを格納するファイルと別のファイルに設けられ、画像データを格納するファイルが格納されるフォルダごとに画像再生する画像再生手段が示されていることを特徴とする電子機器。
【請求項５】
請求項１に記載の電子機器において、
前記再生データの管理情報は、画像データを格納するファイルと別のファイルに設けられ、画像データを格納するファイルが格納される記録媒体ごとに画像再生する画像再生手段が示されていることを特徴とする電子機器。
【請求項６】
請求項１〜５のいずれか一項に記載の電子機器において、
前記第１の画像再生手段は投影装置であることを特徴とする電子機器。
【発明の詳細な説明】
【技術分野】
【０００１】
本発明は、複数の画像再生手段を備える電子機器に関する。
【背景技術】
【０００２】
再生画像を複数の画像再生手段で再生可能な表示装置が知られている（特許文献１参照）。特許文献１によれば、複数の画像再生手段でそれぞれ同じ画像を再生するモードと、複数の画像再生手段で異なる画像を再生するモードとが備えられている。
【０００３】
【特許文献１】特開２００２−３４１４３８号公報
【発明の開示】
【発明が解決しようとする課題】
【０００４】
複数の画像再生手段のいずれかで画像再生したいという要求がある。
【課題を解決するための手段】
【０００５】
（１）請求項１に記載の電子機器は、異なる解像度で画像再生する複数の画像再生手段と、画像ファイルを再生する前記複数の画像再生手段の一つを画像ファイルごとに指定する管理情報記録手段と、再生する画像ファイルを指示する指示手段と、前記指示手段によって指示された画像ファイルの管理情報に指定された画像再生手段の解像度に応じて、前記画像ファイル内の画像データから再生データを生成すると共に、該画像再生手段に対して前記再生データの再生指令を行う制御手段と、を備えることを特徴とする。
（２）請求項２に記載の電子機器は、請求項１に記載の電子機器において、前記制御手段は、操作部材からの操作信号、ケーブル接続検知信号、および操作メニューによる指示のいずれかに応じて、前記画像再生の指示および前記再生データ生成手段の制御を行うことを特徴とする。
（３）請求項３に記載の電子機器は、請求項１に記載の電子機器において、前記再生データの管理情報は、画像データを格納するファイルと別のファイルに設けられ、画像データを格納するファイルごとに画像再生する画像再生手段が示されていることを特徴とする。
（４）請求項４に記載の電子機器は、請求項１に記載の電子機器において、前記再生データの管理情報は、画像データを格納するファイルと別のファイルに設けられ、画像データを格納するファイルが格納されるフォルダごとに画像再生する画像再生手段が示されていることを特徴とする。
（５）請求項５に記載の電子機器は、請求項１に記載の電子機器において、前記再生データの管理情報は、画像データを格納するファイルと別のファイルに設けられ、画像データを格納するファイルが格納される記録媒体ごとに画像再生する画像再生手段が示されていることを特徴とする。
（６）請求項６に記載の電子機器は、請求項１〜５のいずれか一項に記載の電子機器において、前記第１の画像再生手段は投影装置であることを特徴とする。
【発明の効果】
【０００６】
本発明によれば、複数の画像再生手段のいずれかで画像再生する電子機器を低コストで提供できる。
他の発明によれば、複数の画像再生手段のいずれかで画像再生する電子機器を提供できる。
【発明を実施するための最良の形態】
【０００７】
以下、図面を参照して本発明を実施するための最良の形態について説明する。
（第一の実施形態）
図１は、本発明の第一の実施形態によるプロジェクタの斜視図である。図１において、プロジェクタ１０は、操作部材１１と、液晶表示器１２と、ＴＶ出力端子１０５と、ＨＤ出力端子１０６と、後述するプロジェクタ部６（図２）とを有し、ＡＣ／ＤＣアダプタ１３を介して電源供給されている。
【０００８】
プロジェクタ１０は机上などに載置され、スクリーンもしくは壁に向けて画像などの情報を投影する。プロジェクタ１０は、情報を投影する代わりに、情報を液晶表示器１２に表示したり、情報を外部のＴＶモニタ（不図示）や外部のＨＤモニタ（不図示）に表示させたりすることも可能に構成されている。ＨＤモニタは、通常のＴＶモニタより走査線の数が多い高精細ＴＶモニタである。プロジェクタ１０は、ＴＶモニタに表示させるための映像信号をＴＶ出力端子１０５から出力し、ＨＤモニタに表示させるための映像信号をＨＤ出力端子１０６から出力する。
【０００９】
図２は、以上説明したプロジェクタ１０の構成を説明するブロック図である。図２においてプロジェクタ１０は、プロジェクタ部６と、ＣＰＵ１０１と、メモリ１０２と、操作部材１１と、液晶表示器１２と、ハードディスクドライブ装置(HDD)１０３と、外部インターフェイス(I/F)１０４と、ＴＶ出力端子１０５と、ＨＤ出力端子１０６と、ステレオスピーカ１０７と、電源回路１０８と、近接センサ１１１とを有する。不図示のカードスロットには、着脱可能なメモリカード１１０が実装されている。不図示の電池フォルダには、バッテリー１０９が装填されている。
【００１０】
プロジェクタ１０は、電子カメラで撮影された画像データ（画像ファイル）をメモリカード１１０やハードディスクドライブ装置(HDD)１０３から読出すなどして、画像データによる再生画像をプロジェクタ部６で投影したり、液晶表示器１２で表示したりする。プロジェクタ１０は、プロジェクタ１０内に保存されている画像データの他、外部インターフェイス(I/F)１０４を介して外部機器から供給される画像データによる再生画像を投影する（もしくは表示する）ことも可能である。プロジェクタ１０はさらに、再生データをコピーしてハードディスクドライブ装置(HDD)１０３に保存したり、再生データの管理情報を作成・保存したりする。
【００１１】
ＣＰＵ１０１は、制御プログラムに基づいて、プロジェクタ１０を構成する各部から入力される信号を用いて所定の演算を行うなどして、プロジェクタ１０の各部に対する制御信号を送出することにより、プロジェクタ１０による情報再生動作の制御を行う。なお、制御プログラムはＣＰＵ１０１内の不図示の不揮発性メモリに格納されている。
【００１２】
メモリ１０２はＣＰＵ１０１の作業用メモリとして使用される。操作部材１１は、メインスイッチ、表示装置切替えスイッチ、ソース切替えスイッチ、十字キーなどを含む複数の操作部材によって構成される。操作部材１１は、操作内容に応じた操作信号をＣＰＵ１０１へ送出する。
【００１３】
メモリカード１１０は、フラッシュメモリなどの不揮発性メモリによって構成される。メモリカード１１０は、ＣＰＵ１０１の指令により映像データや音声データの書き込み、保存および読み出しが可能である。ハードディスクドライブ装置(HDD)１０３は、メモリカード１１０に比べて大容量の記録装置である。ハードディスクドライブ装置(HDD)１０３は、ＣＰＵ１０１からの指令により映像データや音声データなどのデータの書き込み、保存および読み出しが可能である。
【００１４】
外部インターフェイス(I/F)１０４は、ビデオカメラなどの外部機器から送信されるビデオ信号を画像データに変換し、変換後の画像データをＣＰＵ１０１へ送出する。また、外部インターフェイス(I/F)１０４は、外部機器から送信される信号をスピーカ１０７で再生させるための音声データに変換し、変換後の音声データをＣＰＵ１０１へ送出する。
【００１５】
液晶表示器１２は、ＣＰＵ１０１の指令により画像やテキストなどの情報を再生表示する。テキスト情報は、プロジェクタ１０の動作状態、操作メニューなどである。ＣＰＵ１０１が液晶表示器１２へ再生表示を指示する場合、上記画像データを用いて液晶表示器１２の表示解像度（たとえば横３２０×縦２００ピクセル）に応じた再生用データを生成し、生成したデータを液晶表示器１２へ送出する。ステレオスピーカ１０７は、ＣＰＵ１０１から出力される音声データによる音声を再生する。
【００１６】
バッテリー１０９は充電可能な二次電池によって構成され、プロジェクタ１０内の各部へ電力を供給する。電源回路１０８は充電回路および電圧検出回路を含み、バッテリー１０９の電圧をプロジェクタ１０内の各部で必要な電圧に変換する他、バッテリー１０９の電圧が低く、残容量が低下している場合にＡＣ／ＤＣアダプタ１３を介して供給される充電用電流でバッテリー１０９を充電する。
【００１７】
近接センサ１１１は、プロジェクタ１０の筐体においてプロジェクタ部６の開口を有する面に上記開口と並べて配設される。近接センサ１１１は、赤外光を発するLEDと赤外光を受光するフォトダイオードとを有し、赤外受光光が所定レベル以上の場合に検出信号をＣＰＵ１０１へ送信する。
【００１８】
プロジェクタ１０の筐体がプロジェクタ部６の開口面を下にして載置された場合や、上記開口面がスクリーンなどの他の物体に近づき過ぎている場合には、LEDが発した赤外光が載置面や物体で反射されてフォトダイオードで受光される。
【００１９】
（プロジェクタ部）
プロジェクタ部６は、ＣＰＵ１０１の指令により画像やテキストなどの情報を再生投影する。プロジェクタ部６は、投影レンズ６１と、液晶パネル６２と、ＬＥＤ光源６３と、投射制御回路６４と、レンズ駆動回路６５とを含む。投射制御回路６４は、ＣＰＵ１０１から出力される投影指令に応じてＬＥＤ光源６３に駆動電流を供給する。ＬＥＤ光源６３は、供給された電流に応じた明るさで液晶パネル６２を照明する。
【００２０】
ＣＰＵ１０１がプロジェクタ部６へ再生投影を指示する場合、上記画像データを用いて液晶パネル６２の表示解像度（プロジェクタ部６による投影解像度に相当し、たとえば横６４０×縦４００ピクセル）に応じた再生用データを生成し、生成したデータをプロジェクタ部６へ送出する。投射制御回路６４は、ＣＰＵ１０１から送出される再生用データに応じて液晶パネル駆動信号を生成し、生成した駆動信号で液晶パネル６２を駆動する。具体的には、液晶層に対して再生用データに応じた電圧を画素ごとに印加する。電圧が印加された液晶層は液晶分子の配列が変わり、当該液晶層の光の透過率が変化する。このように、再生用データに応じてＬＥＤ光源６３からの光を変調することにより、液晶パネル６２が光像を生成する。
【００２１】
投影レンズ６１は、液晶パネル６２から射出される光像をスクリーンなどへ向けて投影する。レンズ駆動回路６５は、投射制御回路６４から出力されるオフセット調節信号に基づいて、投影レンズ６１を光軸に対して直交する方向へ進退駆動する。また、レンズ駆動回路６５は、投射制御回路６４から出力されるフォーカス調節信号に基づいて、投影レンズ６１を構成するフォーカスレンズ（不図示）を光軸方向へ進退駆動する。レンズ駆動回路６５はさらに、投射制御回路６４から出力されるズーム調節信号に基づいて、投影レンズ６１を構成するズームレンズ（不図示）を光軸方向へ進退駆動する。オフセット調節量、フォーカス調節量およびズーム調節量は、ＣＰＵ１０１から投射制御回路６４へ指示される。
【００２２】
（投射像のオフセット）
投影レンズ６１が光軸と直交する向きにシフトされることにより、プロジェクタ部６から射出される光束の射出方向が変化し、投射像がオフセットされる。投射像のオフセットは、投影レンズ６１をシフトさせて行う他にも、液晶パネル６２、ＬＥＤ光源６３を光軸に対して垂直方向にシフトさせて行う構成としてもよい。すなわち、投影レンズ６１と液晶パネル６２の相対的位置関係を光軸に垂直な方向に変化させることで、投射像のオフセットを実現できる。
【００２３】
（投射像のキーストン補正）
投影レンズ６１、液晶パネル６２、ＬＥＤ光源６３の一部を光軸に対して垂直方向にシフトさせる際には、そのシフト量に応じて投影するデータに対するキーストン補正を行う。投射像に上記オフセットを与えるだけでは投射像が台形状に変化するので、ＣＰＵ１０１は、投射像を台形状から長方形状に補正するために画像処理による電気的なキーストン補正を施す。ＣＰＵ１０１内のメモリには、あらかじめ投射像を長方形状に補正するための初期補正値が記憶されている。ＣＰＵ１０１は、オフセット調節量に対応する初期補正値を読み出し、読み出した初期補正値をもとに投影する像のデータに対するキーストン補正処理をメモリ１０２上で施し、キーストン補正処理後の画像データを投射制御回路６４へ送出する。
【００２４】
（投射像のフォーカス調節）
投影レンズ６１を構成するフォーカスレンズを光軸方向にシフトすることにより、プロジェクタ部６は投射像のフォーカス調節を行う。フォーカス調節を行う場合のＣＰＵ１０１は、操作部材１１からの操作信号に応じてフォーカス調節信号を投射制御回路６４へ送る。
【００２５】
（投射像のズーム調節）
投影レンズ６１を構成するズームレンズを光軸方向にシフトすることにより、プロジェクタ部６は投射像のズーム調節を行う。ＣＰＵ１０１は、操作部材１１からの操作信号に応じてズーム調節信号を投射制御回路６４へ送る。
【００２６】
（安全装置）
ＣＰＵ１０１は、近接センサ１１１から検出信号が入力された場合、プロジェクタ部６による投影を禁止する。投影禁止時は、少なくともＬＥＤ光源６３による照明をオフさせる。
【００２７】
（表示装置切替え）
ＣＰＵ１０１がプロジェクタ部６で画像再生させるか、液晶表示器１２で画像再生させるか、外部のＴＶモニタに表示させるか、外部のＨＤモニタに表示させるかは、表示装置切替えスイッチによって設定される。ＣＰＵ１０１は、操作部材１１を構成する表示装置切替えスイッチから表示装置切替え操作信号が入力されるごとに、画像再生する表示装置を「プロジェクタ部６」→「液晶表示器１２」→「ＴＶモニタ」→「ＨＤモニタ」→「プロジェクタ部６」…の順にサイクリックに切替える。
【００２８】
ＣＰＵ１０１は、プロジェクタ部６から投影させる場合、プロジェクタ部６へ投影指令を送る。ＣＰＵ１０１は、液晶表示器１２で表示させる場合、液晶表示器１２へ表示指令を送る。ＣＰＵ１０１は、ＴＶモニタに表示させる場合、たとえば、走査線数５２５本に対応する映像信号を生成し、生成した信号をＴＶ出力端子１０５から出力する。ＣＰＵ１０１は、ＨＤモニタに表示させる場合、たとえば、走査線数１１２５本に対応する映像信号を生成し、生成した信号をＨＤ出力端子１０６から出力する。
【００２９】
（ソース(source)切替え）
ＣＰＵ１０１がいずれのコンテンツ画像を再生させるかは、ソース切替えスイッチによって設定される。ＣＰＵ１０１は、操作部材１１を構成するソース切替えスイッチからソース切替え操作信号が入力されるごとに、画像再生するコンテンツをソース１．→ソース２．→ソース３．→ソース１．…の順にサイクリックに切替え、画像データの入力元を変更する。ただし、プロジェクタ１０にメモリカード１１０が装着されていない場合にはソース１．をスキップさせる。また、外部インターフェイス(I/F)１０４に外部機器が接続されていない場合にはソース３．をスキップさせる。
【００３０】
ソース１．メモリカード１１０から読出したデータによる再生画像
ソース２．ハードディスクドライブ装置(HDD)１０３から読出したデータによる再生画像
ソース３．外部インターフェイス(I/F)１０４から入力されたデータによる再生画像
【００３１】
ＣＰＵ１０１は、上記ソース１．またはソース２．に対応する画像を再生する場合、記録日時が最も新しい（記録されている画像データの中で最後に撮影されたもの）画像データをメモリカード１１０（もしくはハードディスクドライブ装置１０３）から順に読出す。読出されたデータは、プロジェクタ部６または液晶表示器１２へ送出する再生用データの生成に用いられる他、外部のＴＶモニタ（もしくはＨＤモニタ）へ出力する映像信号の生成に用いられる。
【００３２】
以上説明した第一の実施形態によれば、次の作用効果が得られる。
（１）設定されている表示装置に応じて、異なる解像度の表示用データ、投影用データ、および映像信号のいずれか一つを択一的に生成するようにしたので、プロジェクタ部６、液晶表示器１２、外部のＴＶモニタおよびＨＤモニタ間でＣＰＵ１０１を再生データ生成手段として共用でき、コスト低減がはかれる。また、複数の解像度のデータ（映像信号）を同時に生成する必要がないので、ＣＰＵ１０１の負担が軽減され、高速処理用のＣＰＵを用いなくても、再生画像を快適な速度で表示（投影）させることができる。
【００３３】
（２）表示装置に応じた解像度の再生用データ（もしくは映像信号）の生成は、画像再生時にリアルタイムに行うので、あらかじめ異なる解像度の表示用データ、投影用データ、および映像信号を生成してハードディスクドライブ装置(HDD)１０３などの記憶装置に保存しておかなくてもよい。これにより、記憶装置の使用容量を節約できる。
【００３４】
（３）近接センサ１１１から検出信号が入力された場合にプロジェクタ部６による投影を禁止したので、無駄な投影動作を防止するとともに、電力消費や発熱を抑えることもできる。
【００３５】
（変形例１）
近接センサ１１１に代えてメカニカルスイッチを備える構成にしてもよい。この場合には、マイクロスイッチをプロジェクタ１０の筐体においてプロジェクタ部６の開口を有する面に配設する。マイクロスイッチは、プロジェクタ１０の筐体がプロジェクタ部６の開口面を下にして載置された場合や、上記開口面が他の物体に接触している場合に、検出信号をＣＰＵ１０１へ出力する。
【００３６】
（第二の実施形態）
表示装置の切替えが、表示装置切替えスイッチからの操作信号に代えて「メニュー画面」において設定されるように構成してもよい。この場合にプロジェクタ１０に対して行われるメニュー設定について説明する。
【００３７】
プロジェクタ１０は、操作部材１１を構成するメニューキーが押下操作されると液晶表示器１２に「表示装置の設定メニュー」画面を表示させる。図３は、「表示装置の設定メニュー」画面を例示する図である。図３において、「１．ＬＣＤ」、「２．プロジェクタ投影」、「３．ＴＶ出力」、「４．ＨＤ出力」という４項目が表示されている。
【００３８】
この状態で操作部材１１を構成する画面操作用のカーソルキー（十字キー）が下方向に操作されると、プロジェクタ１０はカーソル位置を下方向に移動させ、十字キーが上方向に操作されると、プロジェクタ１０はカーソル位置を上方向に移動させる。メニュー画面表示中の十字キーによる上下方向の操作信号は、項目選択指示に対応する。図３の例では、「２．プロジェクタ投影」の項目にカーソルが置かれている。なお、メニューキーの押下操作に応じて最初に起動される「表示装置の設定メニュー」画面でカーソルが置かれる項目は、その時点で設定されている表示装置を示す。
【００３９】
プロジェクタ１０は、項目選択指示に連動して、表示装置を示す「出力先」ボックス内にカーソルが置かれている項目番号を表示（図３の例では「２」）させる。プロジェクタ１０は、操作部材１１を構成する十字キー１１が左方向に操作されるとチェックボックス「ＯＫ」を表示し、さらにメニューキーが押下操作されると「表示装置の設定メニュー」画面の表示を終了させるとともに、「出力先」ボックス内に表示されている番号に対応する表示装置に決定する。つまり、表示装置がプロジェクタ部６に設定変更される。
【００４０】
プロジェクタ１０は、操作部材１１を構成する十字キー１１が右方向に操作されるとチェックボックス「キャンセル」を表示し、さらにメニューキーが押下操作されると「出力先」ボックス内に表示されている番号にかかわらず、メニュー画面表示前の設定内容に戻し、「表示装置の設定メニュー」画面の表示を終了させる。この場合には表示装置を設定変更しない。
【００４１】
以上説明した第二の実施形態によれば、表示装置の切替えを「メニュー画面」で設定可能に構成したので、表示装置の切替え状態を使用者に報知できる。すなわち、使用者は、液晶表示器１２に表示されるメニュー画面から表示装置の設定状態を確認することができる。
【００４２】
（変形例２）
ＴＶ出力端子１０５およびＨＤ出力端子１０６にそれぞれケーブル接続検出スイッチを設け、ケーブル接続を検出した方の出力端子へ映像信号を出力する構成にしてもよい。この場合のＣＰＵ１０１は、表示装置切替えスイッチもしくは「表示装置の設定メニュー」によって表示装置がプロジェクタ部６および液晶表示器１２のいずれに切替えられている場合でも、ＴＶ出力端子１０５に対するケーブル接続を検出すると、プロジェクタ部６用の投影用データ（もしくは液晶表示器１２用の表示用データ）の生成に代えて走査線数５２５本に対応する映像信号を生成し、この映像信号をＴＶ出力端子１０５から出力する。
【００４３】
また、ＣＰＵ１０１は、ＨＤ出力端子１０６に対するケーブル接続を検出すると、プロジェクタ部６用の投影用データ（もしくは液晶表示器１２用の表示用データ）の生成に代えて走査線数１１２５本に対応する映像信号を生成し、この映像信号をＨＤ出力端子１０６から出力する。
【００４４】
なお、ＴＶ出力端子１０５およびＨＤ出力端子１０６の双方に対するケーブル接続を検出した場合は、解像度が高い走査線数１１２５本に対応する映像信号を生成し、この映像信号をＨＤ出力端子１０６から出力する。
【００４５】
（変形例３）
ＴＶ出力端子１０５およびＨＤ出力端子１０６の双方に対するケーブル接続を検出した場合に生成する映像信号の走査線数を、解像度が高い方に限らず選択可能に構成してもよい。選択操作は、「メニュー画面」において行うと好適である。
【００４６】
（第三の実施形態）
第三の実施形態のプロジェクタ１０は、メモリカード１１０やハードディスクドライブ装置(HDD)１０３から再生データの管理情報を読出し、この管理情報に基づいて表示装置の切替えを行う。再生データの管理情報は、画像データが格納されるファイルごとに、画像再生する表示装置を指定することが可能に構成される。
【００４７】
図４は、再生データの管理情報が記録される管理ファイルを説明する図である。管理ファイルは、画像ファイルと別に設けられ、ハードディスクドライブ装置(HDD)１０３もしくはメモリカード１１０に保存される。図４において、「file id=1」、「file id=2」、…という画像ファイルごとに、画像ファイル内のデータによる再生画像の出力先（表示装置）が示されている。図４によれば、「file id=1」のファイル名称は「image.jpg」であり、この画像ファイル内のデータによる再生画像の出力先（表示装置）は「projector」、すなわちプロジェクタ部６である。
【００４８】
ＣＰＵ１０１は、ファイル名称「image.jpg」の画像ファイルに記録されているデータによる画像を再生するように指示されると管理ファイルを参照し、管理ファイルで定められている出力先（この例ではプロジェクタ部６）へ投影指令を送る。ＣＰＵ１０１はさらに、ファイル名称「image.jpg」のファイルから画像データを読出し、このデータを用いて投影用データを生成し、生成したデータをプロジェクタ部６へ送出する。
【００４９】
以上説明した第三の実施形態によれば、次の作用効果が得られる。
（１）再生データの管理情報を記録する管理ファイルを設け、画像ファイルごとに、画像ファイル内のデータによる再生画像の出力先（表示装置）を設定可能に構成した。たとえば、他人に見せたくない画像のファイルについての出力先（表示装置）を液晶表示器１２にし、他人に見せたい画像のファイルについての出力先（表示装置）をプロジェクタ部６にすることにより、プロジェクタ１０が自動的に画像再生する表示装置を選択できる。
【００５０】
（２）管理ファイルを画像ファイルと別に設けたので、１つの管理ファイルで全ての画像ファイルについての出力先（表示装置）を指定できるため、管理しやすい。
【００５１】
（変形例４）
画像ファイルの名称に再生画像の出力先（表示装置）を示す情報を含めてもよい。たとえば、画像ファイルの名称「proj_out.jpg」に記録されているデータによる画像を再生するように指示されると、ＣＰＵ１０１は、当該ファイル名が示す出力先（この例ではプロジェクタ部６）へ投影指令を送る。ＣＰＵ１０１はさらに、ファイル名称「proj_out.jpg」のファイルから画像データを読出し、このデータを用いて投影用データを生成し、生成したデータをプロジェクタ部６へ送出する。
【００５２】
（第四の実施形態）
第四の実施形態による再生データの管理情報は、画像ファイルが格納されるフォルダごとに、画像再生する表示装置を指定することが可能に構成される。
【００５３】
図５は、再生データの管理情報が記録される管理ファイルを説明する図である。管理ファイルは、画像ファイルと別に設けられ、ハードディスクドライブ装置(HDD)１０３もしくはメモリカード１１０に保存される。図５において、「folder id=1」、「folder id=2」、…というフォルダごとに、フォルダ内の画像ファイルによる再生画像の出力先（表示装置）が示されている。図５によれば、「folder id=1」のフォルダ名称は「image」であり、このフォルダ内に格納される全ての画像ファイル内のデータによる再生画像の出力先（表示装置）は「projector」、すなわちプロジェクタ部６である。
【００５４】
ＣＰＵ１０１は、フォルダ名称「image」のフォルダ内に記録されている画像ファイルのデータによる画像を再生するように指示されると管理ファイルを参照し、管理ファイルで定められている出力先（この例ではプロジェクタ部６）へ投影指令を送る。ＣＰＵ１０１はさらに、指定された画像ファイルから画像データを読出し、このデータを用いて投影用データを生成し、生成したデータをプロジェクタ部６へ送出する。
【００５５】
以上説明した第四の実施形態によれば、再生データの管理情報を記録する管理ファイルを設け、画像ファイルを格納するフォルダごとに、画像ファイル内のデータによる再生画像の出力先（表示装置）を設定可能に構成した。再生画像の出力先（表示装置）に応じて異なるフォルダに画像ファイルを格納することにより、使用者にとって扱いやすく、管理も容易である。
【００５６】
（変形例５）
再生データの管理情報を記録する管理ファイルにおいて、画像ファイルを格納する記録媒体ごとに、画像ファイル内のデータによる再生画像の出力先（表示装置）を設定可能に構成してもよい。再生画像の出力先（表示装置）に応じて異なる記録媒体に画像ファイルを格納することにより、使用者にとって扱いやすく、管理も容易である。
【００５７】
（変形例６）
フォルダの名称に再生画像の出力先（表示装置）を示す情報を含めてもよい。たとえば、フォルダの名称「proj_out」に記録されている画像ファイルのデータによる画像を再生するように指示されると、ＣＰＵ１０１は、当該フォルダ名が示す出力先（この例ではプロジェクタ部６）へ投影指令を送る。ＣＰＵ１０１はさらに、指定された画像ファイルから画像データを読出し、このデータを用いて投影用データを生成し、生成したデータをプロジェクタ部６へ送出する。
【００５８】
（第五の実施形態）
上記実施形態では複数の表示装置のうち１つの表示装置で画像再生する例を説明したが、複数の表示装置のうち２つの表示装置で画像再生したり、いずれの表示装置にも画像再生させない（すなわち画像再生を禁止する）ようにしてもよい。この場合、第三の実施形態と同様に、画像ファイルごとの画像再生の出力先（表示装置）を管理ファイルに記録しておくのが好ましい。
【００５９】
図６は、再生画像を出力する表示装置を設定するメニュー画面を例示する図である。プロジェクタ１０は、操作部材１１を構成するメニューキーが押下操作されると液晶表示器１２に図６の設定メニュー画面を表示させる。図６によれば、画像ファイルごとに「ＬＣＤ」および「プロジェクタ」用のチェックボックスが設けられている。プロジェクタ１０は、チェックボックス内がチェックされた場合、対応する画像ファイルによる再生画像を該当する表示装置で表示するように制御する。
【００６０】
ファイル名称「DSCN0001.JPG」、「DSCN0003.JPG」、「DSCN0007.JPG」の画像ファイルのチェックボックスは「ＬＣＤ」側のみチェックされている。この場合の各画像ファイル内のデータによる再生画像の出力先（表示装置）は液晶表示器１２とし、プロジェクタ部６からは投影しないように制御する。
【００６１】
ファイル名称「DSCN0002.JPG」、「DSCN0004.JPG」、「DSCN0005.JPG」、「DSCN0008.JPG」の画像ファイルのチェックボックスは「ＬＣＤ」および「プロジェクタ」のそれぞれがチェックされている。この場合の各画像ファイル内のデータによる再生画像の出力先（表示装置）は、液晶表示器１２およびプロジェクタ部６の両方として制御する。
【００６２】
ファイル名称「DSCN0006.JPG」の画像ファイルのチェックボックスは「ＬＣＤ」および「プロジェクタ」のいずれもチェックされていない。この場合の画像ファイル内のデータによる再生画像は、液晶表示器１２にもプロジェクタ部６にも表示（投影）しないように制御する。
【００６３】
ファイル名称「DSCN0009.JPG」、「DSCN0010.JPG」の画像ファイルのチェックボックスは「プロジェクタ」側のみチェックされている。この場合の画像ファイル内のデータによる再生画像の出力先（表示装置）はプロジェクタ部６とし、液晶表示器１２には表示しないように制御する。
【００６４】
ファイル名称「DSCN0010.JPG」の次のファイルは、ファイル「DSCN0010.JPG」を選択した状態で操作部材１１を構成する画面操作用のカーソルキー（十字キー）が下方向に操作されると表示される。プロジェクタ１０は、操作部材１１を構成するポインタ操作部材によってチェックボックス「ＯＫ」が選択され、さらに決定キーが押下操作されると「表示装置の設定メニュー」画面の表示を終了させるとともに、再生画像の出力先（表示装置）をチェックボックス内にチェックされている表示装置に決定する。プロジェクタ１０は、操作部材１１を構成するポインタ操作部材によってチェックボックス「キャンセル」が選択され、さらに決定キーが押下操作されると「表示装置の設定メニュー」画面の表示を終了させるとともに、チェックボックス内にチェックされている内容にかかわらず、以前の設定内容を保持する。
【００６５】
プロジェクタ１０は、上述したように決定した各画像ファイルごとの再生画像の出力先（表示装置）を記した管理情報を、メモリカード１１０またはハードディスクドライブ装置(HDD)１０３へ記録する。なお、設定メニューにおいて設定変更が行われる前の初期状態は、全ての画像ファイルについて、「ＬＣＤ」側のチェックボックスがチェック、「プロジェクタ」側のチェックボックスがブランク（未チェック）である。
【００６６】
プロジェクタ１０が画像再生を行う際にＣＰＵ１０１が実行する再生処理の流れについて、図７のフローチャートを参照して説明する。ＣＰＵ１０１は、情報再生開始を指示する操作信号が操作部材１１から入力されると、図７の処理を開始させる。
【００６７】
図７のステップＳ６１において、ＣＰＵ１０１は、メモリカード１１０またはハードディスクドライブ装置(HDD)１０３から画像ファイルを読み出し、当該ファイル内の画像データをメモリ１０２に展開させてステップＳ６２へ進む。画像ファイルの読み出しは、メモリカード１１０またはハードディスクドライブ装置(HDD)１０３の中で、あらかじめ指示されているフォルダから読み出す。
【００６８】
プロジェクタ１０は、１画面に１画像を表示（投影）する１コマ再生方式と、１画面に複数画像を表示（投影）する一覧再生方式とが操作部材１１からの操作信号によって選択可能に構成されている。本実施形態では一覧再生方式の場合を例に説明する。一覧再生方式では、１画面にたとえば９コマの画像を表示するため、９つの画像ファイルを読み出す。
【００６９】
ステップＳ６２において、ＣＰＵ１０１はＬＣＤがオンか否かを判定する。ＣＰＵ１０１は、操作部材１１を構成するＬＣＤスイッチ（不図示）からオン操作信号が入力されている場合にステップＳ６２を肯定判定してステップＳ６３へ進み、ＬＣＤスイッチ（不図示）からオン操作信号が入力されていない場合にはステップＳ６２を否定判定し、ステップＳ７５へ進む。ＣＰＵ１０１は、ステップＳ６２を肯定判定した場合に液晶表示器１２を作動させ、ステップＳ６２を否定判定した場合は液晶表示器１２を作動させない。
【００７０】
ステップＳ６３において、ＣＰＵ１０１はＰＪがオンか否かを判定する。ＣＰＵ１０１は、操作部材１１を構成するプロジェクタスイッチ（不図示）からオン操作信号が入力されている場合にステップＳ６３を肯定判定してステップＳ６４へ進み、プロジェクタスイッチ（不図示）からオン操作信号が入力されていない場合にはステップＳ６３を否定判定し、ステップＳ７２へ進む。ＣＰＵ１０１は、ステップＳ６３を肯定判定した場合にプロジェクタ部６を作動させ、ステップＳ６３を否定判定した場合はプロジェクタ部６を作動させない。
【００７１】
ステップＳ６４において、ＣＰＵ１０１はＰＪ用の設定内容を取得してステップＳ６５へ進む。具体的には、上述した管理情報を読み出し、ステップＳ６１で読み出した画像ファイルに関する「プロジェクタ」のチェックボックスのチェック内容を取得する。
【００７２】
ステップＳ６５において、ＣＰＵ１０１はＬＣＤ用の設定内容を取得してステップＳ６６へ進む。具体的には、上述した管理情報を読み出し、ステップＳ６１で読み出した画像ファイルに関する「ＬＣＤ」のチェックボックスのチェック内容を取得する。
【００７３】
ステップＳ６６において、ＣＰＵ１０１はＰＪ用チェック有りか否かを判定する。ＣＰＵ１０１は、ステップＳ６１で読み出した画像ファイルに関して「プロジェクタ」のチェックボックスがチェックされている場合にステップＳ６６を肯定判定してステップＳ６７へ進み、「プロジェクタ」のチェックボックスがチェックされていない場合にはステップＳ６６を否定判定してステップＳ７０へ進む。
【００７４】
ステップＳ６７において、ＣＰＵ１０１は、メモリ１０２に展開した画像ファイルのうち、「プロジェクタ」のチェックボックスがチェックされている画像ファイルによる再生画像をプロジェクタ部６から投影させ、ステップＳ６８へ進む。なお、１コマ再生方式の場合には、１コマずつ再生画像をプロジェクタ部６から投影させる。
【００７５】
ステップＳ６８において、ＣＰＵ１０１はＬＣＤ用チェック有りか否かを判定する。ＣＰＵ１０１は、ステップＳ６７において投影した画像ファイルに関して「ＬＣＤ」のチェックボックスがチェックされている場合にステップＳ６８を肯定判定してステップＳ６９へ進み、「ＬＣＤ」のチェックボックスがチェックされていない場合にはステップＳ６８を否定判定してステップＳ７９へ進む。
【００７６】
ステップＳ６９において、ＣＰＵ１０１は、ステップＳ６７において投影した画像ファイルのうち、「ＬＣＤ」のチェックボックスがチェックされている画像ファイルによる再生画像を液晶表示器１２に表示させ、ステップＳ７０へ進む。図８は、ステップＳ６１で読み出した全画像ファイルに関して全てのチェックボックスがチェックされている場合に液晶表示器１２に表示される一覧表示画面を例示する図である。ＣＰＵ１０１は、メモリ１０２上で一覧表示用の表示データを生成し、生成した表示データを液晶表示器１２へ送る。なお、１コマ再生方式の場合には、ステップＳ６１で読み出した１コマの画像ファイルによる再生画像を表示するデータを生成し、生成した表示データを液晶表示器１２へ送る。
【００７７】
図９は、ステップＳ６１で読み出した画像ファイルに関して図６に例示したようにチェックボックスがチェックされている場合に、ステップＳ６７においてプロジェクタ部６から投影される一覧表示画面を例示する図である。図９によれば、「プロジェクタ」のチェックボックスがチェックされている画像ファイルの再生画像のみが投影され、「プロジェクタ」のチェックボックスがチェックされていない画像ファイルの存在は投影画面において伏せられている。もし、ステップＳ６１で読み出した全画像ファイルに関して「プロジェクタ」のチェックボックスがチェックされているとすれば、プロジェクタ部６からは図８と同様の一覧表示画面を投影する。
【００７８】
ステップＳ７９において、ＣＰＵ１０１は、「ＬＣＤ」のチェックボックスがチェックされている画像ファイルについてはメモリ１０２に展開した画像ファイルによる再生画像を液晶表示器１２に表示させ、「ＬＣＤ」のチェックボックスがチェックされていない画像ファイルについては非表示（非再生）設定を示すマーク（たとえば四角形の中に×）を液晶表示器１２に表示させてステップＳ７０へ進む。
【００７９】
図１０は、ステップＳ６１で読み出した画像ファイルに関して図６に例示したようにチェックボックスがチェックされている場合に、ステップＳ７９において液晶表示器１２に表示される一覧表示画面を例示する図である。図１０によれば、「プロジェクタ」のチェックボックスがチェックされている画像ファイルのみの存在が明らかにされ、そのうち「ＬＣＤ」のチェックボックスがチェックされている画像ファイルの再生画像のみが表示され、「ＬＣＤ」のチェックボックスがチェックされていない画像ファイルについては非表示設定を示すマークが表示される。なお、１コマ再生方式の場合には、ステップＳ６１で読み出した１コマの画像ファイルに関して「ＬＣＤ」のチェックボックスがチェックされていない場合、非表示設定を示すマークを液晶表示器１２に表示させる。
【００８０】
ステップＳ７０において、ＣＰＵ１０１は、画像切換指示されたか否かを判定する。ＣＰＵ１０１は、再生表示（投影）する画像を他の画像ファイルによる再生画像へ切換え指示する操作信号が操作部材１１から入力された場合、ステップＳ７０を肯定判定してステップＳ６１へ戻る。ＣＰＵ１０１は、再生画像を切換え指示する操作信号が操作部材１１から入力されない場合、ステップＳ７０を否定判定してステップＳ７１へ進む。
【００８１】
ステップＳ７１において、ＣＰＵ１０１は、他モード（たとえば第一の実施形態）へ切換指示されたか否かを判定する。ＣＰＵ１０１は、他モードへ切換え指示する操作信号が操作部材１１から入力された場合、ステップＳ７１を肯定判定して図７による処理を終了して他モードの処理を開始する。ＣＰＵ１０１は、他モードへ切換え指示する操作信号が操作部材１１から入力されない場合、ステップＳ７１を否定判定してステップＳ６２へ戻る。
【００８２】
ステップＳ７２において、ＣＰＵ１０１はＬＣＤ用の設定内容を取得してステップＳ７３へ進む。具体的には、上述した管理情報を読み出し、ステップＳ６１で読み出した画像ファイルに関する「ＬＣＤ」のチェックボックスのチェック内容を取得する。
【００８３】
ステップＳ７３において、ＣＰＵ１０１はＬＣＤ用チェック有りか否かを判定する。ＣＰＵ１０１は、ステップＳ６１で読み出した画像ファイルに関して「ＬＣＤ」のチェックボックスがチェックされている場合にステップＳ７３を肯定判定してステップＳ７４へ進み、「ＬＣＤ」のチェックボックスがチェックされていない場合にはステップＳ７３を否定判定してステップＳ８０へ進む。
【００８４】
ステップＳ７４において、ＣＰＵ１０１は、メモリ１０２に展開した画像ファイルのうち、「ＬＣＤ」のチェックボックスがチェックされている画像ファイルによる再生画像を液晶表示器１２に表示させ、ステップＳ７０へ進む。ステップＳ８０において、ＣＰＵ１０１は、「ＬＣＤ」のチェックボックスがチェックされている画像ファイルについてはメモリ１０２に展開した画像ファイルによる再生画像を液晶表示器１２に表示させ、「ＬＣＤ」のチェックボックスがチェックされていない画像ファイルについては非表示設定を示すマーク（たとえば四角形の中に×）を液晶表示器１２に表示させてステップＳ７０へ進む。
【００８５】
図１１は、ステップＳ６１で読み出した画像ファイルに関して図６に例示したようにチェックボックスがチェックされている場合に、ステップＳ８０において液晶表示器１２に表示される一覧表示画面を例示する図である。図１１によれば、ステップＳ６１で読み出した全ての画像ファイルの存在が明らかにされ、そのうち「ＬＣＤ」のチェックボックスがチェックされている画像ファイルの再生画像のみが表示され、「ＬＣＤ」のチェックボックスがチェックされていない画像ファイルについては非表示設定を示すマークが表示される。なお、１コマ再生方式の場合には、ステップＳ６１で読み出した１コマの画像ファイルに関して「ＬＣＤ」のチェックボックスがチェックされていない場合、非表示設定を示すマークを液晶表示器１２に表示させる。
【００８６】
ステップＳ７５において、ＣＰＵ１０１はＰＪがオンか否かを判定する。ＣＰＵ１０１は、操作部材１１を構成するプロジェクタスイッチ（不図示）からオン操作信号が入力されている場合にステップＳ７５を肯定判定してステップＳ７６へ進み、プロジェクタスイッチ（不図示）からオン操作信号が入力されていない場合にはステップＳ７５を否定判定し、ステップＳ７１へ進む。
【００８７】
ステップＳ７６において、ＣＰＵ１０１はＰＪ用の設定内容を取得してステップＳ７７へ進む。具体的には、上述した管理情報を読み出し、ステップＳ６１で読み出した画像ファイルに関する「プロジェクタ」のチェックボックスのチェック内容を取得する。
【００８８】
ステップＳ７７において、ＣＰＵ１０１はＰＪ用チェック有りか否かを判定する。ＣＰＵ１０１は、ステップＳ６１で読み出した画像ファイルに関して「プロジェクタ」のチェックボックスがチェックされている場合にステップＳ７７を肯定判定してステップＳ７８へ進み、「プロジェクタ」のチェックボックスがチェックされていない場合にはステップＳ７７を否定判定してステップＳ７０へ進む。
【００８９】
ステップＳ７８において、ＣＰＵ１０１は、メモリ１０２に展開した画像ファイルのうち、「プロジェクタ」のチェックボックスがチェックされている画像ファイルによる再生画像をプロジェクタ部６から投影させ、ステップＳ７０へ進む。ステップＳ６１で読み出した画像ファイルに関して図６に例示したようにチェックボックスがチェックされている場合、ステップＳ７８においてプロジェクタ部６から投影される一覧表示画面は図９と同様である。なお、１コマ再生方式の場合には、ステップＳ６１で読み出した１コマの画像ファイルによる再生画像をプロジェクタ部６から投影させる。
【００９０】
以上説明した第五の実施形態によれば、以下の作用効果が得られる。
（１）プロジェクタ１０による再生画像の出力先４種類のうち、ＬＣＤおよびプロジェクタへ出力させる態様と、ＬＣＤまたはプロジェクタへ出力させる態様と、ＬＣＤにもプロジェクタにも出力させない態様とを切換可能に構成したので、必ず１つの出力先へ出力させる場合に比べて、画像再生の選択肢を広げることができる。なお、液晶表示器１２の解像度とプロジェクタ部６の解像度は共通であってもよい（たとえば、横６４０×縦４００ピクセル）。
【００９１】
（２）液晶表示器１２を作動させてプロジェクタ部６を非作動にする場合、ステップＳ６１で読み込んだ画像ファイルのうち、「ＬＣＤ」のチェックボックスがチェックされている画像ファイルによる再生画像を液晶表示器１２に表示させ、「ＬＣＤ」のチェックボックスがチェックされていない画像ファイルについては非表示設定を示すマークを液晶表示器１２に表示させた（ステップＳ７３、Ｓ７４、Ｓ８０）。非表示設定を示すマークを表示することにより、表示（再生）しない画像ファイルが存在することをプロジェクタ１０の使用者に知らせることができる。
【００９２】
（３）プロジェクタ部６を作動させて液晶表示器１２を非作動にする場合、ステップＳ６１で読み込んだ画像ファイルのうち、「プロジェクタ」のチェックボックスがチェックされている画像ファイルによる再生画像をプロジェクタ部６から投影させ、「プロジェクタ」のチェックボックスがチェックされていない画像ファイルについては画像ファイルの存在を示す情報を投影内容に含めないようにした（ステップＳ７７、Ｓ７８）。非表示設定を示すマークを投影しないことにより、投影像の観察者がマークに不審を抱くおそれがない。
【００９３】
（４）プロジェクタ部６と液晶表示器１２の双方を作動させる場合、ステップＳ６１で読み込んだ画像ファイルのうち、「プロジェクタ」のチェックボックスがチェックされている画像ファイルのみを表示対象にする。この場合のプロジェクタ部６からは表示対象の画像ファイルによる再生画像を投影させ、表示対象でない画像ファイルについては画像ファイルの存在を示す情報を投影内容に含めない（ステップＳ６６、Ｓ６７）。一方の液晶表示器１２には、表示対象の画像ファイルのうち「ＬＣＤ」のチェックボックスがチェックされている画像ファイルによる再生画像を表示させ、「ＬＣＤ」のチェックボックスがチェックされていない画像ファイルについては非表示設定を示すマークを表示させた（ステップＳ６８、Ｓ６９、Ｓ７９）。プロジェクタ部６による投影画面と液晶表示器１２の表示画面とで共通の画像ファイルを投影（表示）することにより、プロジェクタ１０の使用者にとって対応関係がわかりやすい。さらに、プロジェクタ部６の投影画面においては非表示設定を示すマークを投影しないため、投影像の観察者がマークに不審を抱くおそれがない。
【００９４】
（変形例７）
第五の実施形態では、一覧表示および１コマ表示の場合に、チェックボックスがチェックされているか否かに応じて再生画像の出力先（表示装置）を決定する例を説明した。一覧表示および１コマ表示の場合に加えて、スライドショー表示を行う場合にも適用してよい。
【００９５】
（変形例８）
また、チェックボックスがチェックされているか否かに応じて再生画像の出力先（表示装置）を決定する構成を、一覧表示および１コマ表示の場合に適用する方式と、スライドショー表示の場合に適用する方式と、いずれの場合にも適用する方式とを、操作部材１１からの操作信号によって選択可能に構成してもよい。この場合の初期状態は、「ＬＣＤ」のチェックボックスに関してはスライドショー表示を行う場合のみに適用し、「プロジェクタ」のチェックボックスに関してはスライドショー表示、一覧表示および１コマ表示の場合のそれぞれに適用するようにすることが好ましい。
【００９６】
（変形例９）
図１０に例示した画面を液晶表示器１２に表示させる場合のように、「プロジェクタ」のチェックボックスがチェックされている画像ファイルのみが表示対象にされる場合（画像ファイルの存在を知らせる場合）は、全コマの画像ファイルを削除する操作、画像ファイルを含むフォルダを削除する操作、およびメモリカード１１０もしくはハードディスクドライブ装置(HDD)１０３をフォーマットし直す操作のいずれかが行われた場合、液晶表示器１２に警告表示を行わせるようにする。たとえば、「液晶画面に表示されていない画像ファイルがあります。これらの画像ファイルが失われてもよいですか？」とメッセージを表示すれば、誤って画像ファイルを消失させてしまうおそれを防止できる。
【００９７】
（変形例１０）
変形例９の代わりに、「プロジェクタ」のチェックボックスがチェックされている画像ファイルのみが表示対象にされる場合（画像ファイルの存在を知らせる場合）には、全コマの画像ファイルを削除する操作、画像ファイルを含むフォルダを削除する操作、およびメモリカード１１０もしくはハードディスクドライブ装置(HDD)１０３をフォーマットし直す操作をいずれも禁止（無効扱いにする）してもよい。
【００９８】
（変形例１１）
一覧再生方式における１画面内の表示コマ数は、上述した９コマに限らず、４コマでも１６コマでもよい。
【００９９】
（変形例１２）
「ＬＣＤ」のチェックボックスがチェックされていない画像ファイルについては、非表示設定を示すマーク（たとえば四角形の中に×）を液晶表示器１２に表示させたが、一覧再生方式において１画面内の表示コマ数が所定数以上の場合（１コマ当たりの表示サイズが所定サイズ以下の場合）には、非表示設定マークを表示しないで当該コマの画像を再生表示させてもよい。表示画像サイズがある程度小さくなれば、表示画像を見たとしてもその内容がわからないからである。
【０１００】
（変形例１３）
チェックボックスのチェック／非チェックの変更を設定メニューの中で行う例を説明したが、一覧表示および１コマ表示している場合にも変更可能に構成してよい。この場合のＣＰＵ１０１は、たとえば、一覧表示および１コマ表示している状態であらかじめ定められたパスワードが入力されると表示中の再生画像のファイル名称の隣にチェックボックスを表示させ、再生画像を見ながらチェックボックスのチェック／非チェックの変更を行うように制御する。
【０１０１】
（変形例１４）
「ＬＣＤ」と「プロジェクタ」についてチェックボックスを設ける例を説明したが、「ＴＶ出力」や「ＨＤ出力」についてもチェックボックスを設けるように構成してもよい。この場合にも第五の実施形態と同様に、「ＬＣＤ」は専らプロジェクタ１０の使用者が観察することから、表示（再生）しない画像ファイルの存在についても表示内容に含めるようにし、「ＴＶ出力」や「ＨＤ出力」については「プロジェクタ」と同様に多数の観察者が観察することから、表示（再生）しない画像ファイルについてはその存在がわからないように表示内容から除外する。
【０１０２】
複数の画像再生手段を備える電子機器としてプロジェクタ１０を例に挙げて説明したが、プロジェクタ付き携帯電話機、プロジェクタ付きカメラ、プロジェクタ付きテレビ、プロジェクタ付きラジオなどにも本発明を適用できる。
【０１０３】
以上の説明はあくまで一例であり、上記の実施形態の構成に何ら限定されるものではない。
【図面の簡単な説明】
【０１０４】
【図１】本発明の第一の実施形態によるプロジェクタの斜視図である。
【図２】プロジェクタの構成を説明するブロック図である。
【図３】「表示装置の設定メニュー」画面を例示する図である。
【図４】再生データの管理情報が記録される管理ファイルを説明する図である。
【図５】再生データの管理情報が記録される管理ファイルを説明する図である。
【図６】第五の実施形態によるメニュー画面を例示する図である。
【図７】再生処理の流れを説明するフローチャートである。
【図８】液晶表示器に表示される一覧表示画面を例示する図である。
【図９】プロジェクタ部から投影される一覧表示画面を例示する図である。
【図１０】液晶表示器に表示される一覧表示画面を例示する図である。
【図１１】液晶表示器に表示される一覧表示画面を例示する図である。
【符号の説明】
【０１０５】
６…プロジェクタ部
１０…プロジェクタ
１１…操作部材
１２…液晶表示器
１０１…ＣＰＵ
１０２…メモリ
１０３…ハードディスクドライブ装置(HDD)
１０５…ＴＶ出力端子
１０６…ＨＤ出力端子
１１０…メモリカード
１１１…近接センサ
【図１】
0004830766.tif 000002
【図２】
0004830766.tif 000003
【図３】
0004830766.tif 000004
【図４】
0004830766.tif 000005
【図５】
0004830766.tif 000006
【図６】
0004830766.tif 000007
【図７】
0004830766.tif 000008
【図８】
0004830766.tif 000009
【図９】
0004830766.tif 000010
【図１０】
0004830766.tif 000011
【図１１】
0004830766.tif 000012